(57)【要約】      （修正有）【課題】空気を清浄化させる機能を備えた建材を提供する。【解決手段】建材１００は、基板１１０と、基板の表面に設けられた複数の凸部１２０と、前記複数の凸部間に形成された複数の溝部１３０と、前記溝部を形成する前記基板の表面の少なくとも一部に設けられた抗微生物層１４０とを有する。【選択図】図３
0003235312.tif 000002
【実用新案登録請求の範囲】
【請求項１】
基板と、
前記基板の表面に設けられた複数の凸部と、
前記複数の凸部間に形成された複数の溝部と、
前記溝部を形成する前記基板の表面の少なくとも一部に設けられた抗微生物層と
を有する、
建材。
【請求項２】
前記抗微生物層は、銅と錫の合計１００原子％に対して、６０原子％超９０原子％以下含有し、かつ錫を１０原子％以上４０原子％未満含有する銅−錫合金層である、
請求項１に記載の建材。
【請求項３】
前記溝部は、格子状に形成されている、
請求項１または２に記載の建材。
【請求項４】
前記溝部は、直線状に形成されている、
請求項１または２に記載の建材。
【請求項５】
前記抗微生物層は、コーティング膜である、
請求項１〜４のいずれか一項に記載の建材。
【請求項６】
前記コーティング膜は、蒸着により形成される、
請求項５に記載の建材。
【請求項７】
前記抗微生物層は、前記溝部を形成する前記基板の表面に貼り付けられた基材シート上に設けられている、
請求項１〜６のいずれか一項に記載の建材。
【請求項８】
前記抗微生物層の厚みは、５〜２００ｎｍである、
請求項１〜７のいずれか一項に記載の建材。
【請求項９】
前記基板は、発泡材である、
請求項１〜８のいずれか一項に記載の建材。
【考案の詳細な説明】
【技術分野】
【０００１】
本開示は、建材に関する。
【背景技術】
【０００２】
近年、省エネルギーの観点などから、戸建住宅全体を断熱材で囲繞することが行われている。また、建築物の外壁部や屋根部に沿って溝部を形成し、外壁部や屋根部において直射日光などで温められた空気を、当該溝部を介して室内に供給するようにした空気循環式建築物なども知られている。
【０００３】
そのような建築物において、外壁部の溝部を形成する通気断熱ボード１０としては、図１に示されるように、基板１１と、その上に所定の間隔をおいて設けられた複数の凸部１２と、複数の凸部１２間に形成される複数の溝部１３とを有し、合成樹脂発泡材で構成されたものが知られている（特許文献１参照）。
【０００４】
そのような通気断熱ボード１０は、複数の凸部１２を外方に向けて固定され、各凸部１２の外面に外壁板が当接されて溝部１３の開口部が外壁板で塞がれることにより、床下空間と小屋裏空間とを連通する連通部（不図示）が形成される。そして、外壁板が直射日光を受けて連通部（溝部１３）内の空気が温められると、上昇気流が生じ（図１の矢印参照）、当該温められた空気は連通空間の全体に循環して、室内部を加温する。
【先行技術文献】
【特許文献】
【０００５】
【特許文献１】特開平８−６０７６０号公報
【考案の概要】
【考案が解決しようとする課題】
【０００６】
ところで、空気中には、通常、カビ菌や細菌などの菌やウィルスが含まれている。最近では、屋内の快適性を向上させる観点や、感染症を予防する観点などから、菌やウィルスなどが少ない清浄な空気を室内に供給することが望まれている。それに伴い、建材において、溝部を流通する空気を浄化できること（空気中の菌やウィルスを不活性化できること）が望まれている。
【０００７】
そこで本開示は、空気を清浄化させる機能を備えた建材を提供することを目的とする。
【課題を解決するための手段】
【０００８】
本開示に係る建材は、基板と、前記基板の表面に設けられた複数の凸部と、前記複数の凸部間に形成された複数の溝部と、前記溝部を形成する前記基板の表面の少なくとも一部に設けられた抗微生物層とを有する。
【考案の効果】
【０００９】
本開示によれば、空気を清浄化させる機能を備えた建材を提供することができる。
【図面の簡単な説明】
【００１０】
【図１】図１は、従来の建材の斜視図である。
【図２】図２は、本実施の形態に係る建材の取り付け状態を示す断面図である。
【図３】図３Ａは、本実施の形態に係る建材の斜視図であり、図３Ｂは、IIIＢ−IIIＢ線の部分断面図である。
【図４】図４Ａ〜Ｃは、他の実施の形態に係る建材の部分断面図である。
【図５】図５Ａは、他の実施の形態に係る建材の斜視図であり、図５Ｂは、ＶＢ−ＶＢ線の断面図である。
【考案を実施するための形態】
【００１１】
以下、実施の形態について、図面を参照して説明する。
【００１２】
図２は、本実施の形態に係る建材の取り付け状態を示す断面図である。図３Ａは、本実施の形態に係る建材の斜視図であり、図３Ｂは、IIIＢ−IIIＢ線の部分断面図である。なお、図２および３では、建材が通気ボードである例を示す。
【００１３】
図２に示されるように、建材１００は、複数の凸部１２０を外方に向けて壁下地材２１０に固定され、複数の凸部１２０の外面（頂面）には、外壁板２２０が当接して配置される。それにより、複数の凸部１２０間に形成された溝部１３０の開口部が外壁板２２０で塞がれて、床下空間２３０と小屋裏空間２４０とを連通する連通部２５０を形成し、連通部２５０内の空気を連通空間の全体に循環させるものである。連通部２５０は、空気を流通および循環させる通気路として機能しうる。
【００１４】
建材１００は、基板１１０と、その表面に設けられた複数の凸部１２０と、複数の凸部１２０間に形成された複数の溝部１３０と、溝部１３０を形成する基板１１０の表面の少なくとも一部に配置された抗微生物層１４０とを有する（図３ＡおよびＢ参照）。
【００１５】
基板１１０は、特に制限されないが、好ましくは断熱材である。断熱材は、好ましくは発泡材であり、その例には、ポリスチレンフォーム、ポリプロピレンフォーム、ポリエチレンフォーム、ポリウレタンフォーム、フェノールフォーム、アクリルフォーム、炭酸塩系無機質発泡材、水酸化物系無機質発泡材、炭酸塩系無機質発泡材、珪酸塩系無機質発泡材などが含まれる。
【００１６】
複数の凸部１２０は、基板１１０の表面に所定の間隔を空けて設けられ、複数の凸部１２０間に溝部１３０を形成する。凸部１２０は、基板１１０と一体に設けられてもよいし、別体に設けられてもよい。
【００１７】
凸部１２０の平面視形状は、溝部１３０の形状に合わせて設定されればよく、例えば四角形、円形、楕円形、三角形、直線状（ストレート状）、曲線状（波形）のいずれであってもよい。図３Ａでは、凸部１２０の平面視形状が四角形であり、溝部１３０が格子状に形成されている。
【００１８】
凸部１２０の高さや複数の凸部１２０同士の間隔は、空気を流通または循環させる溝部１３０を形成できる範囲であればよく、特に制限されない。
【００１９】
凸部１２０は、特に制限されず、断熱材であってもよいし、蓄熱材であってもよい。断熱材としては、上記と同様のものを使用できる。蓄熱材としては、ゴム材料または樹脂材料を使用できる。凸部１２０の材質は、基板１１０の材質と同じでもあってもよいし、異なってもよい。凸部１２０と基板１１０の材質が同じである場合、凸部１２０は、基板１１０と一体的に成形されたものであってもよい。
【００２０】
溝部１３０は、複数の凸部１２０の間（隣接する複数の凸部１２０間）に形成された、連続した凹部である。
【００２１】
抗微生物層１４０は、溝部１３０の内壁面の少なくとも一部に設けられる。具体的には、抗微生物層１４０は、溝部１３０を形成する基板１１０の表面１１０ａ（凸部１２０が設けられていない部分の表面）の少なくとも一部に設けられ（図３Ｂ参照）、凸部１２０の側面１２０ａにさらに設けられてもよい。
【００２２】
抗微生物層１４０は、高い抗微生物活性を示すことから、銅−錫合金層であることが好ましい。銅−錫合金層は、水蒸気中または微生物中の過酸化水素（Ｈ２Ｏ２）を分解して、ヒドロキシラジカル（・ＯＨ）を生成する触媒反応（Ｃｕ＋→Ｃｕ２＋）を生じ、生成したヒドロキシラジカル（・ＯＨ）が微生物を攻撃することで、抗微生物性を発現しうる。
【００２３】
具体的には、抗微生物層１４０は、銅と錫の合計１００原子％に対して、６０原子％超９０原子％以下含有し、かつ錫を１０原子％以上４０原子％未満含有する銅−錫合金層であることが好ましく；銅を６３〜９０原子％含み、錫を１０〜３７原子％含むことがより好ましい。銅の含有割合が高いほど、抗微生物性能が向上しやすく、錫の含有割合が高いほど、水や塩水との接触による腐食などを生じにくく、抗微生物性が損なわれにくい。銅と錫の合計量は、銅−錫合金層に対して７５原子％以上であることが好ましく、１００原子％であってもよい。
【００２４】
銅−錫合金層の平均組成は、走査型電子顕微鏡等で可能なエネルギー分散形Ｘ線分光法（ＥＤＳ）により確認することができる。
【００２５】
銅−錫合金層には、上記組成を満たす限りにおいて、他の元素がさらに含まれていてもよい。例えば、銅−錫合金層が蒸着法で形成される場合、銅−錫合金層には、溶融状態での蒸気圧が銅に近いアルミニウム、ゲルマニウム、ベリリウム、ニッケル、シリコンなどが含有されていてもよい。また、耐食性を損なわない範囲で亜鉛、銀、ニッケルなどの抗微生物性を有する他の金属が含有されていてもよい。
【００２６】
上記組成を有する銅−錫合金層が高い抗微生物性を示すことは、例えば特許第４７７８１２３号公報の実施例で示される通りである。
【００２７】
抗微生物層１４０の厚みは、所定の抗微生物性が得られる範囲であれば特に限定されない。抗微生物層１４０、好ましくは上記銅−錫合金層の厚みは、５〜２００ｎｍであることが好ましく、１０〜１００ｎｍであることがより好ましい。銅−錫合金層の厚みが５ｎｍ以上であると、十分な抗微生物性が得られやすい。銅−錫合金層の厚みは、例えば透過型電子顕微鏡による断面観察により測定することができる。
【００２８】
抗微生物層１４０は、コーティング膜でありうる。コーティング膜は、蒸着膜やスパッタリング膜などの薄膜であってもよいし、塗布膜であってもよい。すなわち、抗微生物層１４０は、任意の方法で形成することができ、薄膜形成プロセスで形成されてもよいし、塗布法で形成されてもよい。
【００２９】
薄膜形成プロセスの例には、蒸着法（真空蒸着法）やスパッタリング法が含まれる。塗布法は、例えば抗微生物物質（銅−錫合金粒子など）を含む溶液を、スピンコート法などで塗布する方法でありうる。中でも、抗微生物層１４０として上記銅−錫合金層を形成する観点では、薄膜形成プロセスが好ましく、銅層と錫層を合金化させるための高温でのアニール処理が不要であるなどの観点から、真空蒸着法がより好ましい。すなわち、抗微生物層１４０は、蒸着膜であることが好ましい。
【００３０】
また、抗微生物層１４０は、基板１１０の表面１１０ａに貼り付けられた基材シート１上に設けられていてもよい。すなわち、抗微生物層１４０が形成された基材シート（抗微生物性シート）を、基板１１０の表面１１０ａに貼り付けることにより、抗微生物層１４０を形成してもよい。抗微生物シートの貼り付けは、例えば基材シートの裏面（抗微生物層が形成された面とは反対側の面）に設けられた粘着剤層によって行うことができる。
【００３１】
（作用）
本実施の形態では、上記の通り、建材１００の複数の凸部１２０の外面に外壁板２２０が当接され、複数の溝部１３０の開口部が外壁板２２０で塞がれて、床下空間２３０と小屋裏空間２４０とを連通する連通部２５０が形成される（図２参照）。そして、外壁板２２０が直射日光を受けて溝部１３０内の空気が温められると、上昇気流が生じ、当該温められた空気は、床下空間２３０と小屋裏空間２４０を連通する連通空間全体を循環し、室内部２６０を加温する。このように、連通部２５０は、空気が流通する通気路として機能するとともに、連通部２５０を通して連通空間全体に空気が循環することで、断熱効果を発揮することができる。
【００３２】
そして、連通部２５０（溝部１３０）を形成する基板１１０の表面１１０ａには、抗微生物層１４０が設けられている（図３ＡおよびＢ参照）。それにより、連通部２５０を流通する空気中の菌やウィルスなどを不活性化させることができ、清浄な空気を室内に循環させることができる。
【００３３】
特に、流動する空気中の菌やウィルスなどを不活性化させるには、（例えば、人の手が直接触れる物や場所に必要とされる）一般的な抗微生物活性よりも高い抗微生物活性が求められる。上記銅−錫合金層は、公知の抗微生物材料と比べて短時間で、高い抗微生物活性を示すため、本開示の連通部２５０（建材１００の溝部１３０）に設けられる抗微生物層１４０として特に適している。
【００３４】
（変形例）
なお、上記実施の形態では、抗微生物層１４０が、溝部１３０を構成する基板１１０の表面１１０ａ（凸部１２０が設けられていない部分の基板１１０の表面１１０ａ）のみに設けられる例を示したが（図３Ｂ参照）、これに限定されない。
【００３５】
図４Ａ〜Ｃは、他の実施の形態に係る建材１００の部分断面図である。抗微生物層１４０は、凸部１２０の側面１２０ａにさらに設けられてもよい（図４Ａ参照）。また、基板１１０と凸部１２０が別体である場合、抗微生物層１４０は、基板１１０の表面全体に設けられ、その上に複数の凸部１２０が設けられてもよい（図４Ｂ参照）。
【００３６】
また、抗微生物層１４０は、前述の通り、抗微生物層１４０が形成された基材シート１５０（抗微生物性シート）を、基板１１０の表面１１０ａに貼り付けることにより設けられてもよい（図４Ｃ参照）。抗微生物シートの貼り付けは、基材シート１５０の裏面に設けられた粘着剤層（不図示）により行うことができる。
【００３７】
基材シート１５０は、樹脂フィルムであってもよいし、紙であってもよいし、織布や不織布などのメッシュ状部材であってもよい。樹脂フィルムやメッシュ部材を構成する樹脂の例には、ポリエステルおよびポリオレフィンが好ましく、ポリエチレンテレフタレート、ポリエチレンナフタレート、ポリエチレンおよびポリプロピレンが含まれる。基材シート１５０の厚みは、溝部１３０の機能が妨げられない程度であればよく、例えば１０〜４００μｍでありうる。抗微生物層１４０は、基材シート１５０上に真空蒸着法または塗布法で形成されたものでありうる。
【００３８】
また、上記実施の形態では、凸部１２０の平面視形状が四角形である例を示したが、溝部１３０の形状に合わせて適宜設定されうる。
【００３９】
図５Ａは、他の実施の形態に係る建材１００を示す斜視図であり、図５Ｂは、図５ＡのＶＢ−ＶＢ線の断面図である。図５Ａに示されるように、凸部１２０の平面視形状を直線状（ストレート状）としてもよい。それにより、直線状（ストレート状）の溝部１３０を形成することができる。
【００４０】
また、上記実施の形態では、建材１００を壁部に用いる例を示したが、屋根部に用いてもよい。例えば、建材１００を、複数の凸部１２０を上方に向けて下地材に固定し、各凸部１２０の外面に野地板を当接させる。そして、溝部１３０の開口部を野地板で塞ぐことにより、野地板と建材１００との間に、小屋裏空間２４０に連通する連通部２５０を形成してもよい。
【産業上の利用可能性】
【００４１】
本開示の建材は、空気を清浄化させる機能を備えている。そのような建材は、建築物の壁部や屋根部などに好適に利用される。
【符号の説明】
【００４２】
１００  建材
１１０  基板
１２０  凸部
１３０  溝部
１４０  抗微生物層
１５０  基材シート
２１０  壁下地材
２２０  外壁板
２３０  床下空間
２４０  小屋裏空間
２５０  連通部
２６０  室内部
【図１】
0003235312.tif 000003
【図２】
0003235312.tif 000004
【図３】
0003235312.tif 000005
【図４】
0003235312.tif 000006
【図５】
0003235312.tif 000007